(57)【要約】【課題】複数のアイコンを移動させながら順次表示させるとともに、視認性のよい設定画面を表示させる情報処理装置を実現する。【解決手段】ホスト装置は、印刷処理を実行するときに使用可能な複数の拡張機能の各々を示す拡張機能アイコンを、上記設定画面の所定領域において移動させながら順次表示させるスクロール表示処理部１５３と、上記所定領域の中において、予め定められた位置、または、ユーザ入力によって指定された位置である表示形式切替位置に移動された上記拡張機能アイコンの管理番号を特定する切替アイコン決定部１５６と、切替アイコン決定部１５６によって特定された管理番号に対応する拡張機能アイコンの表示形式を切り替える表示形式切替部１５１とを備える。【選択図】図１
2007199780.tif 000002
【特許請求の範囲】
【請求項１】
設定対象装置における処理条件を設定するための設定画面を表示装置に表示させる情報処理装置であって、
上記設定対象装置が処理を実行するときに使用可能な複数の機能の各々を示すアイコンを、上記設定画面の所定領域内において移動させながら順次表示させるスクロール表示処理手段と、
上記所定領域の中において、予め定められた位置、または、ユーザ入力によって指定された位置である特定位置に移動された上記アイコンを、特定アイコンとして特定するアイコン特定手段と、
上記アイコン特定手段によって特定された特定アイコンの表示形式を切り替える表示形式切替手段とを備えることを特徴とする情報処理装置。
【請求項２】
上記表示形式切替手段は、上記特定アイコンの表示形式の切り替えとして、該特定アイコンを静止画から動画に切り替えることを特徴とする請求項１に記載の情報処理装置。
【請求項３】
上記アイコンが動画であり、
上記表示形式切替手段は、上記特定アイコンの表示形式の切り替えとして、該特定アイコンのフレーム画像を１番目のフレーム画像に戻すことを特徴とする請求項１に記載の情報処理装置。
【請求項４】
上記表示形式切替手段は、さらに、上記アイコン特定手段によって特定された特定アイコンの明度、彩度、サイズのうちの少なくとも１つを、他のアイコンと異なるように切り替えることを特徴とする請求項２または３に記載の情報処理装置。
【請求項５】
上記表示形式切替手段は、さらに、上記アイコン特定手段によって特定された特定アイコンの背景の明度および彩度のうちの少なくとも１つを、他のアイコンの背景と異なるように切り替えることを特徴とする請求項２または３に記載の情報処理装置。
【請求項６】
上記表示形式切替手段は、さらに、上記アイコン特定手段によって特定された特定アイコンのフレーム画像の再生速度を、他のアイコンの再生速度よりも遅くすることを特徴とする請求項３に記載の情報処理装置。
【請求項７】
上記表示形式切替手段は、上記特定アイコンの表示形式を切り替え、該特定アイコンを１サイクルだけ再生した後に、該特定アイコンの表示形式を元に戻すことを特徴とする請求項２，４，５，６のうちのいずれか１項に記載の情報処理装置。
【請求項８】
上記スクロール表示処理手段は、上記表示形式切替手段が上記特定アイコンの表示形式を切り替えている期間、アイコン全体の移動速度を所定量だけ遅くする、もしくは、アイコン全体の移動を停止させることを特徴とする請求項７に記載の情報処理装置。
【請求項９】
ユーザ入力に応じて、上記表示形式切替手段の機能の有効／無効を切り替える有効／無効切替手段を備えていることを特徴とする請求項１に記載の情報処理装置。
【請求項１０】
設定指示が入力された上記アイコンに対応する機能の処理条件を、ユーザ入力に従って設定する機能設定手段を備え、
上記アイコン特定手段は、上記特定位置に移動されたアイコンのうちの、上記機能設定手段によって設定が行われていないアイコンのみを上記特定アイコンとして特定することを特徴とする請求項１に記載の情報処理装置。
【請求項１１】
各機能の使用頻度を算出する算出手段を備え、
上記アイコン特定手段は、上記特定位置に移動されたアイコンのうちの、上記算出手段によって算出された使用頻度が所定閾値以下の機能に対応するアイコンのみを上記特定アイコンとして特定することを特徴とする請求項１に記載の情報処理装置。
【請求項１２】
上記特定位置は、上記所定領域の中央部、および、端部のいずれかであることを特徴とする請求項１に記載の情報処理装置。
【請求項１３】
請求項１から１２のいずれか１項に記載の情報処理装置を動作させるプログラムであって、コンピュータを上記の各手段として機能させるためのプログラム。
【請求項１４】
請求項１３に記載のプログラムを記録したコンピュータ読み取り可能な記録媒体。
【発明の詳細な説明】
【技術分野】
【０００１】
本発明は、設定対象装置における処理の条件を設定するための設定画面を表示装置に表示させる情報処理装置、当該情報処理装置を動作させるプログラムおよび記録媒体に関するものである。
【背景技術】
【０００２】
従来、プリンタで印刷を行う場合の印刷条件を設定するための設定画面を表示させるプリンタドライバが知られている。そして、ユーザは、設定画面において、複数の印刷機能の中から所望のものを選択し、その処理条件を設定することができる。
【０００３】
近年では、プリンタの多機能化に伴い、上記印刷機能の項目が増大している。このように、多数の項目からユーザ所望のものを選択させるために、設定画面において、各項目を示すアイコンを表示させる技術が知られている。
【０００４】
例えば、特許文献１には、アイコンのような画像コレクションを、連続的にスクロールさせる（つまり、移動させながら順次表示させる）技術が開示されている。そして、ユーザ入力に応じて、スクロールの方向や速度を変化させたり、選択された画像を拡大させたりする技術が開示されている。
【特許文献１】特表２００３−５１２６７６（２００３年４月２日公開）
【発明の開示】
【発明が解決しようとする課題】
【０００５】
しかしながら、上記従来の構成では、ユーザ入力に応じて、アイコンの表示が変更されるものであり、ユーザ入力がなければ、アイコンがただ連続的に流れるだけである。そのため、ユーザに対して、画面上に流れている複数のアイコンの全てを同時に確認しなければならないという印象を与えるおそれがある。その結果、ユーザによっては視認性が悪いという問題が生じる。
【０００６】
本発明は、上記の問題点に鑑みてなされたものであり、その目的は、複数のアイコンを移動させながら順次表示させるとともに、視認性のよい設定画面を表示させる情報処理装置、プログラムおよび記録媒体を実現することにある。
【課題を解決するための手段】
【０００７】
本発明に係る情報処理装置は、上記課題を解決するために、設定対象装置における処理条件を設定するための設定画面を表示装置に表示させる情報処理装置であって、上記設定対象装置が処理を実行するときに使用可能な複数の機能の各々を示すアイコンを、上記設定画面の所定領域内において移動させながら順次表示させるスクロール表示処理手段と、上記所定領域の中において、予め定められた位置、または、ユーザ入力によって指定された位置である特定位置に移動された上記アイコンを、特定アイコンとして特定するアイコン特定手段と、上記アイコン特定手段によって特定された特定アイコンの表示形式を切り替える表示形式切替手段とを備えることを特徴としている。
【０００８】
上記の構成によれば、表示形式切替手段は、上記所定領域の中において、予め定められた位置、または、ユーザ入力によって指定された位置である特定位置に上記アイコンが移動されたとき、該特定アイコンの表示形式を切り替える。
【０００９】
ここで、特定アイコンの表示形式の切り替えとは、例えば、該特定アイコンを静止画から動画に切り替えることや、上記特定アイコンが動画であり、該特定アイコンのフレーム画像を１番目のフレーム画像に戻すこと、などである。
【００１０】
これにより、ユーザは、上記特定位置まで移動された特定アイコンの表示形式が切り替えられるため、当該特定アイコンに着目することとなる。その結果、設定画面に表示されている複数のアイコンのうち、表示形式を切り替えた特定アイコンをユーザにアピールすることができる。そのため、ユーザは、複数のアイコンを同時に確認することがなく、視認性が向上する。
【００１１】
なお、静止画から動画に切り替えることで、動画である特定アイコンをユーザに対してよりアピールすることができる。また、動画が機能の内容を示す場合、ユーザは、特定アイコンに対応する機能を容易に認識することができる。
【００１２】
また、動画の特定アイコンを、最初のフレームに切り替えることで、ユーザは、動画を最初から確認することができる。そして、動画が機能の内容を示す場合、ユーザは、アイコンに対応する機能を容易に認識することができる。
【００１３】
また、本発明の情報処理装置において、上記表示形式切替手段は、さらに、上記アイコン特定手段によって特定された特定アイコンの明度、彩度、サイズのうちの少なくとも１つを、他のアイコンと異なるように切り替えることが好ましい。
【００１４】
上記の構成によれば、特定位置に移動された特定アイコンの明度、彩度、サイズの少なくとも１つが他のアイコンと異なるため、特定位置に移動された特定アイコンをユーザに対してアピールすることができる。そのため、ユーザは、当該特定アイコンに一層着目し、複数のアイコンを同時に確認することがなく、視認性が向上する。
【００１５】
また、本発明の情報処理装置において、上記表示形式切替手段は、さらに、上記アイコン特定手段によって特定された特定アイコンの背景の明度および彩度のうちの少なくとも１つを、他のアイコンの背景と異なるように切り替えることが好ましい。
【００１６】
上記の構成によれば、特定位置に移動された特定アイコンの背景の明度、彩度の少なくとも１つが他のアイコンの背景と異なるため、特定位置に移動された特定アイコンをユーザに対してアピールすることができる。そのため、ユーザは、当該特定アイコンに一層着目し、複数のアイコンを同時に確認することがなく、視認性が向上する。
【００１７】
また、本発明の情報処理装置において、上記表示形式切替手段は、さらに、上記アイコン特定手段によって特定された特定アイコンのフレーム画像の再生速度を、他のアイコンの再生速度よりも遅くすることが好ましい。
【００１８】
上記の構成によれば、特定位置に移動された特定アイコンを他のアイコンよりも遅い再生速度に確認することができる。これにより、ユーザは、着目している特定アイコンに対応する機能の内容を容易に理解することができる。
【００１９】
また、本発明の情報処理装置において、上記表示形式切替手段は、上記特定アイコンの表示形式を切り替え、該特定アイコンを１サイクルだけ再生した後に、該特定アイコンの表示形式を元に戻すことが好ましい。
【００２０】
上記の構成によれば、特定位置に移動された特定アイコンを１サイクルだけ再生される期間、つまり、該特定アイコンの内容を理解するのに必要な時間だけ、ユーザに対して当該特定アイコンに着目させることができる。
【００２１】
また、本発明の情報処理装置において、上記スクロール表示処理手段は、上記表示形式切替手段が上記特定アイコンの表示形式を切り替えている期間、アイコン全体の移動速度を所定量だけ遅くする、もしくは、アイコン全体の移動を停止させることが好ましい。
【００２２】
上記の構成によれば、表示形式が切り替えられている間、アイコン全体の移動が遅くなる、または、停止する。そのため、表示形式が切り替えられたアイコンの視認性が向上する。
【００２３】
また、本発明の情報処理装置において、ユーザ入力に応じて、上記表示形式切替手段の機能の有効／無効を切り替える有効／無効切替手段を備えていることが好ましい。
【００２４】
ユーザによっては、表示形式が切り替えられることを煩わしく感じる場合もある。上記の構成によれば、表示形式の切替が不要と感じるユーザは、上記有効／無効切替手段に対して、無効を指示することができ、表示形式の切替を望むユーザは、上記有効／無効切替手段に対して、有効を指示することができる。このように、ユーザの嗜好性に適合することができる。
【００２５】
また、本発明の情報処理装置において、設定指示が入力された上記アイコンに対応する機能の処理条件を、ユーザ入力に従って設定する機能設定手段を備え、上記アイコン特定手段は、上記特定位置に移動されたアイコンのうちの、上記機能設定手段によって設定が行われていないアイコンのみを上記特定アイコンとして特定することが好ましい。
【００２６】
上記の構成によれば、未設定の機能に対応する特定アイコンのみ、表示形式を切り替える。そのため、ユーザは、未設定の機能に対応する特定アイコンに着目することとなり、設定操作を容易に行うことができる。
【００２７】
また、本発明の情報処理装置において、各機能の使用頻度を算出する算出手段を備え、上記アイコン特定手段は、上記特定位置に移動されたアイコンのうちの、上記算出手段によって算出された使用頻度が所定閾値以下の機能に対応するアイコンのみを上記特定アイコンとして特定することが好ましい。
【００２８】
機能が多数ある場合、ある機能について、ユーザがその存在自体を把握していない場合がある。上記の構成によれば、使用頻度の低い機能に対応する特定アイコンのみ、表示形式を切り替える。そのため、ユーザに対して、あまり使用されていない機能を紹介することができる。
【００２９】
また、本発明の情報処理装置において、上記特定位置は、上記所定領域の中央部、および、端部のいずれかであることが好ましい。
【００３０】
所定領域の中央部であれば、ユーザが最も見やすい位置でアイコンをアピールすることができる。また、特定位置が端部である場合とは、アイコンが所定領域に新たに表示され、移動開始される位置、もしくは、アイコンが移動完了し、所定領域から消える直前の位置である。アイコンが新たに表示される位置に対応する端部である場合、ユーザに対して、新たに所定領域に表示されたアイコンをアピールすることができる。また、所定領域から消える直前の位置である場合、ユーザに対して、処理条件の設定し忘れを防止することができる。
【００３１】
なお、上記情報処理装置は、コンピュータによって実現してもよく、この場合には、コンピュータを上記各手段として動作させることにより情報処理装置をコンピュータにて実現させるプログラム、およびそれを記録したコンピュータ読み取り可能な記録媒体も、本発明の範疇に入る。
【発明の効果】
【００３２】
本発明に係る情報処理装置は、設定対象装置における処理条件を設定するための設定画面を表示装置に表示させる情報処理装置であって、上記設定対象装置が処理を実行するときに使用可能な複数の機能の各々を示すアイコンを、上記設定画面の所定領域内において移動させながら順次表示させるスクロール表示処理手段と、上記所定領域の中において、予め定められた位置、または、ユーザ入力によって指定された位置である特定位置に上記アイコンが移動されたとき、該アイコンの表示形式を切り替える表示形式切替手段とを備える。これにより、ユーザは、上記特定位置まで移動されたアイコンの表示形式が切り替えられるため、当該アイコンに着目することとなる。その結果、設定画面に表示されている複数のアイコンのうち、表示形式を切り替えたアイコンをユーザにアピールすることができる。そのため、ユーザは、複数のアイコンを同時に確認することがなく、視認性が向上する。
【発明を実施するための最良の形態】
【００３３】
本発明は、設定対象装置における処理の条件を設定するための設定画面を表示装置に表示させる情報処理装置に係るものである。本発明に係る情報処理装置が設定する機能は、例えば、プリンタにおける印刷処理や、各種のアプリケーション（文書作成ソフトや画像編集ソフトなど）における情報処理、製造装置に対する制御処理などに関する機能である。なお、以下では、本発明の実施形態として、プリンタにおける印刷処理に関する複数の機能の設定を行う装置を具体例として説明するが、本発明はこれに限られるものではない。
【００３４】
〔実施形態１〕
本発明の一実施形態について図１ないし図２０に基づいて説明すると以下の通りである。
【００３５】
（プリントシステムの全体構成）
図２は、本実施形態に係るプリントシステムの構成を示すブロック図である。図示されるように、本実施形態のプリントシステムは、ホスト装置（情報処理装置）１とプリンタ（設定対象装置）２と表示装置３と入力装置４とを備えている。
【００３６】
ホスト装置１は、文書作成ソフトや画像編集ソフト等で作成された画像データを、ユーザ入力によって設定された印刷条件に基づいて印刷データに加工するとともに、プリンタ２が印刷処理を行う際の処理命令を生成し、生成した印刷データおよび処理命令を含む印刷ジョブをプリンタ２に出力する。ホスト装置１は、例えば、パーソナルコンピュータである。
【００３７】
プリンタ２は、ホスト装置１から受けた印刷ジョブに応じた画像を用紙等の記録媒体に形成し、該記録媒体を排出する。なお、ホスト装置１とプリンタ２とは、ＵＳＢ等のケーブルや通信ネットワークを介して接続されている。
【００３８】
表示装置３は、例えば液晶ディスプレイであり、ホスト装置１の制御に従った画像を表示する。また、入力装置４は、例えば、マウス・トラックボール・トラックパッド・タブレット・キーボードなどであり、ユーザによって入力された指示をホスト装置１に出力する。
【００３９】
（ホスト装置の構成）
図２に示されるように、ホスト装置１は、アプリケーション部１１とプリンタドライバ部１２とを備えている。なお、ホスト装置１は、オペレーティングシステム（ＯＳ）を備えており、該オペレーティングシステムを介して、各ブロック間のデータや指示のやり取りが実現されている。
【００４０】
アプリケーション部１１は、各種のアプリケーション（例えば、文書作成ソフト、表計算ソフト、画像編集ソフト等）に従った処理を行い、画像データを作成する。さらに、アプリケーション部１１は、入力装置４から印刷条件の設定指示を受けると、プリンタドライバ部１２を起動させて、印刷条件を設定させ、作成した画像データをプリンタドライバ部１２に出力する。
【００４１】
プリンタドライバ部１２は、プリンタ２に対応したプリンタドライバのプログラムに従ってＣＰＵなどの演算装置が動作を行う機能ブロックである。プリンタドライバ部１２は、アプリケーション部１１から出力された画像データを印刷する際の印刷条件を設定し、設定した印刷条件に従った印刷ジョブを生成する。
【００４２】
プリンタドライバ部１２は、表示装置３に印刷条件の設定画面を表示させ、ユーザ所望の印刷機能の選択と選択した印刷機能の処理条件の入力とを促し、ユーザ入力に応じて、印刷条件を設定する。
【００４３】
ここで、印刷機能としては、例えば、
・印刷部数設定機能：印刷する部数を設定する機能
・用紙サイズ設定機能：プリンタ２で画像が形成される用紙のサイズを設定する機能
・両面印刷機能：片面印刷、両面印刷、中綴じ印刷などを設定する機能
・Ｎ−ＵＰ印刷機能：複数（Ｎ）ページを１枚の用紙にまとめて印刷する機能
・用紙方向設定機能：用紙方向を設定する機能
・フィットページ機能：印刷する用紙のサイズにフィットするように原稿画像のサイズを調整する機能
・縦横独立変倍機能：画像の縦横比を変更する機能
・ポスター印刷機能：１ページの画像を複数に分割し、分割した画像を異なる用紙に印刷する機能
・オーバーレイ機能：他の画像を重ねて印刷する機能
・ウォーターマーク機能：「極秘」「重要」等のすかし文字を印刷する機能
・Ｅｄｇｅ  ｔｏ  Ｅｄｇｅ機能：印刷データを最大印刷可能領域に印刷する機能
・１８０度回転機能：印刷する画像を１８０度回転させる機能
・線幅調整機能：線幅を調整する機能
・パンチ機能：印刷された用紙の端部にパンチ孔を形成する機能
・ステープル機能：印刷された複数枚の用紙をステープラーで綴じる機能
・とじしろ機能：端部にとじしろのための余白を形成する機能
・ＯＨＰ合い紙機能：印刷データの各ページの間に合い紙を挿入する機能
などがある。
【００４４】
印刷機能には、印刷する際に何らかの処理条件で必ず使用する基本機能（本実施形態では、印刷部数設定機能、用紙サイズ設定機能、両面印刷機能、Ｎ−ｕｐ印刷機能、用紙方向設定機能）と、それ以外の拡張機能とがある。
【００４５】
そして、印刷条件は、各基本機能の処理条件、および、ユーザが選択した拡張機能の処理条件を含む。
【００４６】
図２に示されるように、プリンタドライバ部１２は、コンテンツ管理部１３と、基本画面表示処理部１４と、拡張機能アイコン表示処理部１５と、印刷条件設定部（機能設定手段）１６と、印刷条件格納部１７と、設定済みアイコン表示処理部１８と、印刷ジョブ生成部（設定対象装置）１９とを備える。
【００４７】
コンテンツ管理部１３は、複数の拡張機能の各々を示す拡張機能アイコンを管理するものである。コンテンツ管理部１３は、図３に示されるように、各拡張機能について、当該拡張機能を識別する管理番号と、拡張機能名と、当該拡張機能を示す静止画の拡張機能アイコン（以下、静止画アイコンという）と、動画の拡張機能アイコン（以下、動画アイコンという）と、当該拡張機能の処理条件を入力するためのダイアログボックスと、当該拡張機能が設定済みであることを示す設定済みアイコンとを対応付けたテーブルを管理する。
【００４８】
なお、図４は、図３に示すダイアログボックスＷ１，…を詳細に示した図である。また、図５は、図３に示す動画アイコンＭ１，…を詳細に示した図である。図５に示されるように、動画アイコンは、複数のフレーム画像からなる。各フレーム画像を示すデータ（フレーム画像データ）には、フレーム番号が付加されており、当該フレーム番号に従った順に再生される。
【００４９】
基本画面表示処理部１４は、図６に示されるように、基本機能を設定するための基本機能入力ボタン５１ａ〜５１ｅを含む領域Ａと、上記拡張機能アイコン（静止画アイコンまたは動画アイコン）が所定方向に（ここでは、右から左の方向に）順次表示される領域Ｂと、上記設定済みアイコンの一覧が表示される領域Ｃとを含む設定画面５０を表示装置３に表示させるものである。
【００５０】
なお、基本画面表示処理部１４は、領域Ｂ・Ｃについて枠のみを表示し、各領域内の表示処理は、後述するように、拡張機能アイコン表示処理部１５および設定済みアイコン表示処理部１８によって行われる。
【００５１】
拡張機能アイコン表示処理部１５は、コンテンツ管理部１３から拡張機能アイコンを読み出し、設定画面５０（図６参照）の領域Ｂにおいて、読み出した拡張機能アイコンを、所定方向（ここでは、右から左の方向）に移動させながら、順次表示させる処理を行うものである。拡張機能アイコン表示処理部１５の詳細な構成については後述する。
【００５２】
印刷条件設定部は、基本機能の処理条件を設定する基本機能設定部１６ａと、拡張機能の処理条件を設定する拡張機能設定部（機能設定手段）１６ｂとを備える。
【００５３】
基本機能設定部１６ａは、設定画面５０の領域Ａに表示された基本機能入力ボタン５１ａ〜５１ｅ（図６参照）の操作に従って、各基本機能の処理条件を設定するものである。基本機能設定部１６ａは、設定した各基本機能の処理条件を印刷条件格納部１７に格納する。
【００５４】
拡張機能設定部１６ｂは、設定画面５０内の拡張機能アイコン（静止画アイコンまたは動画アイコン）がクリックされたことを受けて、クリックされた拡張機能アイコンに対応するダイアログボックスおよび管理番号をコンテンツ管理部１３から読み出す。さらに、拡張機能設定部１６ｂは、該ダイアログボックスを表示装置３に表示し、ユーザに対して処理条件の入力を促し、入力装置４に入力された指示に応じて処理条件を設定する。拡張機能設定部１６ｂは、設定完了した拡張機能について、当該拡張機能の管理番号と設定された処理条件とを対応付けて印刷条件格納部１７に格納する。
【００５５】
印刷条件格納部１７は、各印刷機能について設定された処理条件を記憶するものである。なお、印刷条件格納部１７は、基本機能の処理条件について、起動時にはデフォルトを記憶している。また、印刷条件格納部１７が記憶する基本機能の処理条件は、基本機能設定部１６ａによって更新される。さらに、印刷条件格納部１７は、拡張機能設定部１６ｂによって処理条件が設定された拡張機能について、管理番号と処理条件とを対応付けて記憶する。
【００５６】
設定済みアイコン表示処理部１８は、印刷条件格納部１７が記憶する管理番号（すなわち、拡張機能設定部１６ｂによって処理条件が設定された拡張機能に対応する管理番号）を全て読み出し、読み出した管理番号に対応する設定済みアイコンをコンテンツ管理部１３から読み出す。そして、設定済みアイコン表示処理部１８は、読み出した設定済みアイコンの全てを、設定画面５０の領域Ｃ（図６参照）に表示させる。
【００５７】
印刷ジョブ生成部１９は、入力装置４に印刷開始指示が入力されたことを受けて印刷ジョブを生成するものである。具体的には、印刷ジョブ生成部１９は、アプリケーション部１１から印刷する画像データを取得するとともに、印刷条件格納部１７が記憶する全ての印刷機能の処理条件を読み出す。そして、印刷ジョブ生成部１９は、読み出した各印刷機能の処理条件に従って、画像データを印刷データに加工するとともに、プリンタ２に対する処理命令を生成する。そして、印刷ジョブ生成部１９は、生成した印刷データおよび処理命令を含む印刷ジョブをプリンタ２に出力する。
【００５８】
（拡張機能アイコン表示処理部の詳細構成）
上述したように、拡張機能アイコン表示処理部１５は、設定画面５０の領域Ｂに拡張機能アイコンを表示させる。ただし、本実施形態の拡張機能アイコン表示処理部１５は、同一の表示形式で単に連続的に拡張機能アイコンをスクロール表示させるのではなく、所定位置に達した拡張機能アイコンの表示形式を、他の拡張機能アイコンと異なるものにし、強調表示させる。
【００５９】
図１は、拡張機能アイコン表示処理部１５の内部構成を示すブロック図である。図１に示されるように、拡張機能アイコン表示処理部１５は、表示形式切替部（表示形式切替手段）１５１と、表示アイコンデータ記憶部１５２と、スクロール表示処理部（スクロール表示処理手段、表示形式切替手段）１５３と、位置設定部１５４と、フォーカスフラグ設定部（有効／無効切替手段）１５５と、切替アイコン決定部（アイコン特定手段）１５６とを備える。
【００６０】
表示形式切替部１５１は、コンテンツ管理部１３から各管理番号に対応する静止画アイコンを読み出し、当該静止画アイコンを管理番号と対応付けて表示アイコンデータ記憶部１５２に格納する。ただし、表示形式切替部１５１は、切替アイコン決定部１５６から切替指示（後述する）を受けた場合、当該切替指示に付加された管理番号に対応する動画アイコンをコンテンツ管理部１３から読み出し、表示アイコンデータ記憶部１５２に格納されている、当該管理番号に対応する静止画アイコンを、コンテンツ管理部１３から読み出した動画アイコンに書き換える。また、表示形式切替部１５１は、切替アイコン決定部１５６から切替解除指示（後述する）を受けた場合、当該切替解除指示に含まれる管理番号に対応する静止画アイコンをコンテンツ管理部１３から読み出し、表示アイコンデータ記憶部１５２に格納されている、当該管理番号に対応する動画アイコンを、コンテンツ管理部１３から読み出した静止画アイコンに書き換える。
【００６１】
表示アイコンデータ記憶部１５２は、スクロール表示処理部１５３によって上記領域Ｂ（図６参照）に表示される各管理番号の拡張機能アイコンのデータを記憶するものである。表示アイコンデータ記憶部１５２が記憶するデータは、上述したように、表示形式切替部１５１によって更新される。なお、表示アイコンデータ記憶部１５２は、各管理番号に対応付けて、静止画アイコンおよび動画アイコンのいずれか一方のみを記憶する。
【００６２】
スクロール表示処理部１５３は、表示アイコンデータ記憶部１５２から管理番号順に拡張機能アイコンを読み出し、当該拡張機能アイコンを、設定画面５０の領域Ｂにおいて所定方向（ここでは、左方向）に移動させながら管理番号の順に順次表示させるものである。
【００６３】
なお、スクロール表示処理部１５３は、領域Ｂ内に表示している拡張機能アイコンについて、当該拡張機能アイコンに対応する管理番号と領域Ｂ内の現在の表示位置座標とを対応付けた位置情報を切替アイコン決定部１５６に送る。
【００６４】
また、スクロール表示処理部１５３は、表示アイコンデータ記憶部１５２が記憶する拡張機能アイコンが動画アイコンである場合、当該動画アイコンを移動させながら、当該動画アイコンを構成する複数のフレーム画像をフレーム番号１から順次再生する。そして、スクロール表示処理部１５３は、動画アイコンを最終フレームまで再生完了すると、当該動画アイコンに対応する管理番号を付加した１サイクル再生完了通知を切替アイコン決定部１５６に送る。
なお、スクロール表示処理部１５３は、予め定められた再生速度Ｐ０で再生させる。
【００６５】
位置設定部１５４は、拡張機能アイコンの表示形式を切り替える位置（表示形式切替位置：特定位置）の座標（表示形式切替位置座標）を設定するものである。位置設定部１５４は、表示形式切替位置として、デフォルトとして定められた位置、または、ユーザ入力によって定められた位置を設定する。
【００６６】
表示形式切替位置としては、図７に示されるように、例えば、領域Ｂの中央（所定位置Ｂ）、左端（所定位置Ａ）、右端（所定位置Ｃ）などがある。所定位置Ｂであれば、ユーザが最も見やすい位置でアイコンをアピールすることができる。また、所定位置Ｃは、アイコンが所定領域に新たに表示され、移動開始される位置である。そのため、ユーザに対して、新たに所定領域に表示されたアイコンをアピールすることができる。さらに、所定位置Ａは、アイコンが移動完了し、所定領域から消える直前の位置である。そのため、ユーザに対して、処理条件の設定し忘れを防止することができる。
【００６７】
フォーカスフラグ設定部１５５は、上記表示形式切替位置に達した拡張機能アイコンの表示形式の切替処理の有効／無効を示すフォーカスフラグ（「１」：有効、「０」：無効とする）を管理するものである。フォーカスフラグ設定部１５５は、設定画面５０内に表示されているフォーカスボタンの押下に応じて、当該フォーカスフラグを切り替える。
【００６８】
切替アイコン決定部１５６は、拡張機能アイコンの表示形式を切り替える（本実施形態では、静止画アイコンから動画アイコンに切り替える）拡張機能を決定し、当該拡張機能の管理番号を付加した切替指示を送るものである。
【００６９】
切替アイコン決定部１５６は、フォーカスフラグ設定部１５５が管理するフォーカスフラグが「１」（有効）である場合に、スクロール表示処理部１５３から受ける位置情報に含まれる表示位置座標と、位置設定部１５４が設定した上記表示形式切替位置座標とを比較する。そして、切替アイコン決定部１５６は、上記表示形式切替位置座標と一致する表示位置座標に対応する管理番号を上記位置情報から特定し、当該管理番号を付加した、表示形式を切り替える旨の切替指示を表示形式切替部１５１に送る。
【００７０】
すなわち、切替アイコン決定部１５６は、上記表示形式切替位置まで移動された拡張機能アイコンの管理番号を特定し、当該管理番号を付加した、表示形式を切り替える旨の切替指示を表示形式切替部１５１に送る。
【００７１】
また、切替アイコン決定部１５６は、スクロール表示処理部１５３から上記１サイクル再生完了通知を受けると、当該１サイクル再生完了通知に付加された管理番号を含む切替解除指示を表示形式切替部１５１に送る。
【００７２】
（拡張機能アイコンの表示処理）
次に、上記拡張機能アイコン表示処理部１５における拡張機能アイコンの表示処理の流れについて、図８のフローチャートを参照しながら説明する。
【００７３】
まず、プリンタドライバ部１２がアプリケーション部１１からの要求に応じて起動すると（Ｓ１）、基本画面表示処理部１４は、図６に示すように、基本機能の処理条件の入力ボタンを含む領域Ａと、拡張機能アイコンが移動表示される領域Ｂと、設定済みアイコンが表示される領域Ｃとを備えた設定画面５０の初期表示を行う（Ｓ２）。
【００７４】
続いて、位置設定部１５４は、デフォルトで設定された位置、または、ユーザ入力された位置座標を表示形式切替位置座標として設定する（Ｓ３）。以下、図７に示す所定位置Ｂ（中央）の座標が表示形式切替位置座標として設定されたものとする。
【００７５】
次に、フォーカスフラグ設定部１５５は、デフォルトで設定された値、または、前回の終了時に設定されていた値にフォーカスフラグを設定する（Ｓ４）。
【００７６】
その後、表示形式切替部１５１は、コンテンツ管理部１３から全ての管理番号に対応する静止画アイコンに読み出し、表示アイコンデータ記憶部１５２に格納する（Ｓ５）。
【００７７】
そして、スクロール表示処理部１５３は、設定画面５０の領域Ｂ内において、表示アイコンデータ記憶部１５２が記憶する静止画アイコンを、管理番号順に右端から表示させ、予め定められた移動速度Ｖ０で左方向に移動表示させる（Ｓ６）。図９は、拡張機能アイコンＩ（ここでは、静止画アイコン）が領域Ｂにおいて移動表示されている設定画面の一例を示している。なお、スクロール表示処理部１５３は、図１２に示されるように、間隔Ｌ１だけあけた状態で、拡張機能アイコンＩ−ｎ（ｎ：管理番号）を順次表示させる。
【００７８】
なお、このとき、スクロール表示処理部１５３は、領域Ｂ内に表示している静止画アイコンについて、当該静止画アイコンの管理番号と、当該静止画アイコンの現在の表示位置座標とを対応付けた位置情報を切替アイコン決定部１５６に出力している。
【００７９】
次に、切替アイコン決定部１５６は、フォーカスフラグ設定部１５５が管理するフォーカスフラグが「１」であるか否かを判断する（Ｓ７）。
【００８０】
フォーカスフラグが「１」である場合（Ｓ７でＹｅｓ）、切替アイコン決定部１５６は、スクロール表示処理部１５３から出力されている位置情報に含まれる、現在表示されている静止画アイコンの表示位置座標の中から、位置設定部１５４が設定した表示方式切替位置座標と一致するものがあるか否か判断する（Ｓ８）。言い換えると、切替アイコン決定部１５６は、表示方式切替位置座標に到達した静止画アイコンの有無を判断する。
【００８１】
表示方式切替位置座標と一致する表示位置座標がある場合（Ｓ８でＹｅｓ）、切替アイコン決定部１５６は、当該表示位置座標に対応付けられている管理番号を、スクロール表示処理部１５３から受けた位置情報から特定する。そして、切替アイコン決定部１５６は、特定した管理番号を付加した切替指示を、表示形式切替部１５１に出力する（Ｓ９）。
【００８２】
表示形式切替部１５１は、上記切替指示を受けると、当該切替指示に付加された管理番号に対応する動画アイコンをコンテンツ管理部１３から読み出す。そして、表示形式切替部１５１は、表示アイコンデータ記憶部１５２に記憶されている、上記切替指示に付加された管理番号に対応する静止画アイコンを、上記コンテンツ管理部１３から読み出した動画アイコンに書き換える。スクロール表示処理部１５３は、図１０に示されるように、書き換えられた動画アイコンのデータに従って、表示方式切替位置座標（ここでは、所定位置Ｂの座標）まで移動させた静止画アイコンを、上記動画アイコンに変更し、当該動画アイコンを移動させながら再生する（Ｓ１０）。なお、スクロール表示処理部１５３は、動画アイコンについて、フレーム番号１のフレーム画像から再生する。
【００８３】
次に、スクロール表示処理部１５３は、動画アイコンを最終フレーム画像まで再生したか否かを判断する（Ｓ１１）。最終フレーム画像まで再生していない場合（Ｓ１１でＮｏ）、スクロール表示処理部１５３は、次番のフレーム画像を再生し、再度Ｓ１１の処理に戻る。
【００８４】
動画アイコンを最終フレーム画像まで再生した場合（Ｓ１１でＹｅｓ）、スクロール表示処理部１５３は、当該動画アイコンの管理番号を付加した１サイクル表示完了通知を切替アイコン決定部１５６に出力する。切替アイコン決定部１５６は、スクロール表示処理部１５３から上記１サイクル再生完了通知を受けると、当該１サイクル再生完了通知に付加された管理番号を含む切替解除指示を表示形式切替部１５１に送る。
【００８５】
そして、表示形式切替部１５１は、切替解除指示に含まれる管理番号に対応する静止画アイコンをコンテンツ管理部１３から読み出す。そして、表示形式切替部１５１は、表示アイコンデータ記憶部１５２に記憶されている、上記切替解除指示に含まれる管理番号に対応する動画アイコンを、上記コンテンツ管理部１３から読み出した静止画アイコンに書き換える。そして、スクロール表示処理部１５３は、書き換えられた静止画アイコンのデータに従って、１サイクル表示が完了した拡張機能アイコンを静止画アイコンに戻し、当該静止画アイコンの移動を継続して行う（Ｓ１２）。
【００８６】
そして、Ｓ１３の処理に移行する。なお、上記Ｓ８において表示方式切替位置座標と一致する表示位置座標がない場合にも、Ｓ１３の処理に移行する。
【００８７】
また、上記Ｓ７においてフォーカスフラグが「０」である場合、Ｓ１３の処理に移行すし、Ｓ８〜Ｓ１２の処理は行われない。
【００８８】
すなわち、図１１に示されるように、フォーカスフラグが「１」の場合、表示形式切替位置（ここでは、所定位置Ｂ）に到達した拡張機能アイコンの表示形式を切り替え（ここでは、静止画アイコンを動画アイコンに切り替える）、フォーカスフラグが「０」の場合、表示形式切替位置（ここでは、所定位置Ｂ）に到達したとしても拡張機能アイコンの表示形式を切り替えない（ここでは、静止画アイコンのまま移動させる）。
【００８９】
その後、スクロール表示処理部１５３は、領域Ｂの先頭に位置する静止画アイコンＩ−ｎ（つまり、領域Ｂにおいて最左端に位置している静止画アイコンＩ−ｎ）が、領域Ｂの端（ここでは、左端）まで達したか否かを判断する（Ｓ１３）。領域Ｂの端まで達した場合（Ｓ１３でＹｅｓ）、スクロール表示処理部１５３は、図１２に示されるように、当該拡張機能アイコンＩ−ｎ（図１２ではＩ−１）の表示をやめ、他の全ての拡張機能アイコンの表示の後に再度繰り返して表示するようにする（Ｓ１４）。
【００９０】
次に、フォーカスフラグ設定部１５５は、フォーカスフラグの切替指示が入力されたか否かを判断する（Ｓ１５）。具体的には、フォーカスフラグ設定部１５５は、設定画面５０内のフォーカスフラグ切替ボタン５２（図６参照）がクリックされたか否かを判断する。
【００９１】
フォーカスフラグ切替ボタン５２がクリックされた場合（Ｓ１５でＹｅｓ）、フォーカスフラグ設定部１５５は、自身が管理しているフォーカスフラグを切り替える（Ｓ１６）。つまり、フォーカスフラグ設定部１５５は、管理していたフォーカスフラグが「１」である場合には「０」に、「０」である場合には「１」に変更する。
【００９２】
その後、拡張機能アイコン表示処理部１５は、印刷ジョブ生成部１９からの終了指示の有無を判断する（Ｓ１７）。終了指示を受けた場合、拡張機能アイコン表示処理部１５は、処理を終了する。一方、終了指示を受けない場合、上記Ｓ７の処理に戻る。
【００９３】
（印刷条件の設定処理）
上記のように設定画面が表示されている状態における、印刷条件の設定・印刷指示の処理の流れについて、図１３のフローチャートを参照しながら説明する。
【００９４】
まず、基本機能設定部１６ａは、設定画面の領域Ａに表示した基本機能の処理条件の入力ボタン（基本機能入力ボタン５１ａ〜５１ｅ、図６参照）がクリックされたか否かを判断する（Ｓ２１）。
【００９５】
これら基本機能入力ボタン５１ａ〜５１ｅのいずれか一つでもクリックされた場合（Ｓ２１でＹｅｓ）、基本機能設定部１６ａは、ユーザ入力に応じて、印刷条件格納部１７が記憶する基本機能の処理条件を更新する（Ｓ２２）。一方、いずれの基本機能入力ボタン５１ａ〜５１ｅもクリックされない場合（Ｓ２１でＮｏ）、Ｓ２３の処理に移行する。
【００９６】
続いて、Ｓ２３において、拡張機能設定部１６ｂは、設定画面の領域Ｂに表示された拡張機能アイコンＩ（ここでは、静止画アイコンまたは動画アイコン）（図９参照）がクリックされたか否かを判断する。
【００９７】
拡張機能アイコンがクリックされた場合（Ｓ２３でＹｅｓ）、拡張機能設定部１６ｂは、クリックされた拡張機能アイコンに対応する、処理条件の入力用のダイアログボックスと管理番号とをコンテンツ管理部１３から読み出し、読み出したダイアログボックスを表示装置３に表示させる。そして、拡張機能設定部１６ｂは、当該ダイアログボックスに対するユーザ入力に従って、拡張機能の処理条件を設定し、設定した拡張機能の管理番号と設定された処理条件とを対応付けて印刷条件格納部１７に格納する（Ｓ２４）。
【００９８】
そして、設定済みアイコン表示処理部１８は、印刷条件格納部１７に格納されている管理番号に対応する設定済みアイコンを読み出し、設定画面の領域Ｃに表示させる（Ｓ２５）。これにより、ユーザは、どの拡張機能が設定済みであるかを容易に認識することができる。その後、Ｓ２６の処理に移行する。また、拡張機能アイコンがクリックされない場合にも（Ｓ２３でＮｏ）、Ｓ２６に移行する。
【００９９】
次に、印刷ジョブ生成部１９は、設定画面に表示される印刷指示を行う旨のＯＫボタン５４（図９参照）および印刷をキャンセルする旨のキャンセルボタン５３（図９参照）のいずれか一方がクリックされたか否かを判断する（Ｓ２６）。
【０１００】
ＯＫボタン５４およびキャンセルボタン５３のいずれもクリックされない場合（Ｓ２６でＮｏ）、Ｓ２１の処理に戻る。
【０１０１】
一方、ＯＫボタン５４またはキャンセルボタン５３がクリックされた場合（Ｓ２６でＹｅｓ）、印刷ジョブ生成部１９は、印刷指示／キャンセル処理を行い（Ｓ２７）、処理を終了する。
【０１０２】
具体的には、印刷ジョブ生成部１９は、ＯＫボタン５４がクリックされた場合、アプリケーション部１１から印刷する画像データを取得するとともに、印刷条件格納部１７から、設定された各印刷機能の処理条件を読み出す。そして、印刷ジョブ生成部１９は、読み出した各印刷機能の処理条件に基づいて、画像データを印刷データに加工するとともに、プリンタ２への処理命令を生成し、生成した印刷データおよび処理命令からなる印刷ジョブをプリンタ２に出力する。
【０１０３】
また、印刷ジョブ生成部１９は、キャンセルボタン５３がクリックされた場合、プリンタドライバ部１２の動作を終了させる。
【０１０４】
なお、ＯＫボタン５４またはキャンセルボタン５３がクリックされた場合、印刷ジョブ生成部１９は、プリンタドライバ部１２の各ブロックに対して、終了指示を通知する。
【０１０５】
（拡張機能アイコンの表示形式の変形例）
上記説明では、表示形式切替部１５１は、切替アイコン決定部１５６から切替指示を受けた場合（つまり、拡張機能アイコンが表示形式切替位置に到達した場合）、当該切替指示に付加された管理番号に対応する拡張機能について、静止画アイコンから動画アイコンに変更するものとして説明した。しかしながら、表示形式切替部１５１おける表示形式の切替処理は、これに限定されるものではない。また、拡張機能アイコンが表示形式切替位置に到達した場合、スクロール表示処理部１５３が拡張機能アイコンの表示の方法を変更してもよい。以下に、拡張機能アイコンの表示処理の変形例を示す。
【０１０６】
（変形例１）
変形例１は、表示形式切替部１５１が静止画アイコンを動画アイコンに切り替えるときに、スクロール表示処理部１５３が拡張機能アイコンの移動速度を変更させるものである。
【０１０７】
本変形例において、切替アイコン決定部１５６は、スクロール表示処理部１５３に対しても、上記切替指示および切替解除指示を出力する。そして、スクロール表示処理部１５３は、切替指示を受けてから切替解除指示を受けるまでの間、拡張機能アイコン全体の移動速度を変更させる。
【０１０８】
例えば、スクロール表示処理部１５３は、切替指示を受けると、上記Ｓ１０の処理において、図１４に示されるように、拡張機能アイコン全体の移動速度を、上記移動速度Ｖ０から予め定められた移動速度Ｖ１（Ｖ１＜Ｖ０）に変更する。そして、スクロール表示処理部１５３は、切替解除指示を受けると、上記Ｓ１２の処理において、上記移動速度Ｖ１から上記移動速度Ｖ０に戻す。
【０１０９】
これにより、ユーザは、動画アイコンを移動速度の遅い状態で見ることができ、該動画アイコンが示す拡張機能の内容を容易に認識することができる。
【０１１０】
また、スクロール表示処理部１５３は、切替指示を受けると、上記Ｓ１０の処理において、図１５に示されるように、上記移動速度をＶ０から０に変更してもよい（つまり、スクロール表示処理部１５３は、拡張機能アイコン全体の移動を停止させる）。そして、スクロール表示処理部１５３は、切替解除指示を受けると、上記Ｓ１２の処理において、再度上記移動速度Ｖ０で移動を開始させる。
【０１１１】
これにより、ユーザは、動画アイコンを移動停止した状態で見ることができ、該動画アイコンが示す拡張機能の内容を容易に認識することができる。
【０１１２】
（変形例２）
本変形例では、表示形式切替部１５１は、切替指示に付加されている管理番号に対応する拡張機能アイコンの表示形式として、当該拡張機能アイコンの明度および彩度の少なくとも一方を、他の拡張機能アイコンと異なるように変更する。
【０１１３】
例えば、表示形式切替部１５１は、上記Ｓ１０において、切替指示に付加されている管理番号に対応する拡張機能アイコンに対して、明度を上げるように画像処理を行い、画像処理後の拡張機能アイコンのデータを表示アイコンデータ記憶部１５２に格納する。これにより、ユーザは、表示形式切替位置に到達した拡張機能アイコンだけが光っているように視認し、当該拡張機能アイコンを着目しやすくなる。
【０１１４】
もしくは、表示形式切替部１５１は、上記Ｓ１０において、切替指示に付加されている管理番号に対応する拡張機能アイコン以外の拡張機能アイコンに対して、明度を下げるように画像処理を行い、画像処理後の拡張機能アイコンのデータを表示アイコンデータ記憶部１５２に格納する。これにより、ユーザは、表示形式切替位置に到達した拡張機能アイコン以外がグレーアウトされたように視認し、グレーアウトされていない拡張機能アイコン（つまり、表示形式切替位置に到達した拡張機能アイコン）を着目しやすくなる。
【０１１５】
また、表示形式切替部１５１は、上記Ｓ１０において、切替指示に付加されている管理番号に対応する拡張機能アイコンの色を変更する画像処理（例えば、黒から赤に変更する処理）を行い、画像処理後の拡張機能アイコンのデータを表示アイコンデータ記憶部１５２に格納する。これにより、ユーザは、表示形式切替位置に到達した拡張機能アイコンだけ、他の拡張機能アイコンの色（例えば、黒色）と異なる色（例えば、赤色）で視認し、当該拡張機能アイコンを着目しやすくなる。
【０１１６】
なお、表示形式切替部１５１は、静止画アイコンから動画アイコンに切り替えなくてもよい。表示形式切替部１５１は、切替指示に付加されている管理番号に対応する拡張機能アイコン（つまり、表示形式切替位置に到達した拡張機能アイコン）を、他の拡張機能アイコンと異なる明度または彩度にすることで、表示形式切替位置に到達した拡張機能アイコンだけをユーザに対してアピールすることができるからである。
【０１１７】
ただし、表示形式切替部１５１は、静止画アイコンが動画アイコンに変更するとともに、当該動画アイコンの明度および彩度の少なくとも一方を、他の拡張機能アイコン（ここでは、静止画アイコン）と異ならせることで、当該動画アイコンをユーザに対して一層アピールすることができる。
【０１１８】
（変形例３）
本変形例では、表示形式切替部１５１は、切替指示に付加されている管理番号に対応する拡張機能アイコンの表示形式として、当該拡張機能アイコンの背景の明度および彩度の少なくとも一方を、他の拡張機能アイコンの背景と異なるように変更する。
【０１１９】
例えば、表示形式切替部１５１は、上記Ｓ１０において、切替指示に付加されている管理番号に対応する拡張機能アイコンの背景に対して、明度を上げるように画像処理を行い、画像処理後の拡張機能アイコンのデータを表示アイコンデータ記憶部１５２に格納する。これにより、ユーザは、図１６に示されるように、表示形式切替位置に到達した拡張機能アイコンの背景からスポットライトがあてられているように視認し、当該拡張機能アイコンを着目しやすくなる。
【０１２０】
なお、図１６では、変形例２も採用しており、切替指示に付加されている管理番号に対応する拡張機能アイコン自体の明度を、他の拡張機能アイコンの明度と異なるようにしている。
【０１２１】
なお、上記変形例２と同様に、表示形式切替部１５１は、切替指示に付加されている管理番号に対応する拡張機能アイコンの背景の明度および彩度の少なくとも一方を、他の拡張機能アイコンと変更するとともに、切替指示に付加されている管理番号に対応する拡張機能アイコンを静止画アイコンから動画アイコンに切り替えてもよい。これにより、動画アイコンをユーザに対して一層アピールすることができる。
【０１２２】
（変形例４）
本変形例では、表示形式切替部１５１は、切替指示に付加されている管理番号に対応する拡張機能アイコンのサイズを変更させる。
【０１２３】
具体的には、表示形式切替部１５１は、上記Ｓ１０において、切替指示に付加されている管理番号に対応する拡張機能アイコンに対して、サイズ変更（例えば、１２０％に拡大や８０％に縮小など）の画像処理を行い、画像処理後の拡張機能アイコンのデータを表示アイコンデータ記憶部１５２に格納する。これにより、ユーザは、図１７（ａ）（ｂ）に示されるように、表示形式切替位置に到達した拡張機能アイコンを、他のものと異なるサイズで視認し、当該拡張機能アイコンを着目しやすくなる。
【０１２４】
なお、上記変形例２と同様に、表示形式切替部１５１は、切替指示に付加されている管理番号に対応する拡張機能アイコンのサイズを変更するとともに、切替指示に付加されている管理番号に対応する拡張機能アイコンを静止画アイコンから動画アイコンに切り替えてもよい。これにより、動画アイコンをユーザに対して一層アピールすることができる。
【０１２５】
（変形例５）
上記説明では、表示形式切替部１５１は、切替指示に付加されている管理番号に対応する拡張機能のみ、静止画アイコンに代えて動画アイコンを表示アイコンデータ記憶部１５２に格納するものとした。本実施例では、表示形式切替部１５１は、切替指示の有無に拘わらず、全ての管理番号に対して動画アイコンを表示アイコンデータ記憶部１５２に格納させる。
【０１２６】
さらに、切替アイコン決定部１５６は、スクロール表示処理部１５３に対しても、上記切替指示および切替解除指示を出力する。
【０１２７】
スクロール表示処理部１５３は、切替指示を受けた際、当該切替指示に付加されている管理番号に対応する動画アイコンについて、フレーム番号１から再生させる。加えて、スクロール表示処理部１５３は、切替指示に付加されている管理番号に対応する動画アイコンのみ、再生速度Ｐ１とし、その以外の動画アイコンについて、再生速度Ｐ０（Ｐ０＞Ｐ１）とする。
【０１２８】
なお、再生速度Ｐ０、Ｐ１は、単位時間当たりに再生するフレーム数で表されるものである。スクロール表示処理部１５３は、予め設定された再生速度Ｐ０、Ｐ１を記憶している。
【０１２９】
本変形例の拡張機能アイコンの表示処理の流れについて、図１８のフローチャートを参照しながら説明する。本変形例におけるフローチャートは、図８に示すフローチャートと比較して、Ｓ５、Ｓ８、Ｓ９、Ｓ１０、Ｓ１２の代わりにＳ５ａ、Ｓ８ａ、Ｓ９ａ、Ｓ１０ａ、Ｓ１２ａが行われる点で異なり、その他は同じである。以下では、この相違点について説明する。
【０１３０】
本変形例では、Ｓ５ａにおいて、表示形式切替部１５１は、各管理番号に対応する動画アイコンをコンテンツ管理部１３から読出し、管理番号と動画アイコンとを対応づけて表示アイコンデータ記憶部１５２に格納する。これにより、Ｓ６において、スクロール表示処理部１５３は、表示アイコンデータ記憶部１５２から管理番号順に動画アイコンを読み出し、領域Ｂにおいて、該動画アイコンを、予め定められた再生速度Ｓ０で再生させながら、順次移動させる。
【０１３１】
さらに、Ｓ８ａにおいて、切替アイコン決定部１５６は、表示形式切替位置座標に動画アイコンが達したか否かを判断する。
【０１３２】
また、Ｓ９ａにおいて、切替アイコン決定部１５６は、表示形式切替位置座標に表示されている動画アイコンに対応する管理番号を上記表示アイコンデータ記憶部１５２から特定し、当該管理番号を付加した切替指示をスクロール表示処理部１５３に送る。
【０１３３】
そして、Ｓ１０ａにおいて、スクロール表示処理部１５３は、切替指示に付加された管理番号に対応する動画アイコンについて、フレーム番号１から再生させる。すなわち、図１９に示されるように、各動画アイコンがフレーム番号１〜１０のフレームを再生している場合に、動画アイコンは、表示形式切替位置座標まで移動されたときに、いずれのフレーム番号が再生されていたとしても、再度フレーム番号１から再生される。
【０１３４】
さらに、スクロール表示処理部１５３は、切替指示に付加されている管理番号に対応する動画アイコンのみ、再生速度Ｓ１にする。すなわち、図２０に示されるように、動画アイコンは、表示形式切替位置座標まで移動されたときに、再生速度をＰ０からＰ１（Ｐ１＜Ｐ０）に遅くされる。
【０１３５】
そして、切替指示に付加されている管理番号に対応する動画アイコンが１サイクル再生されると（Ｓ１１でＹｅｓ）、Ｓ１２ａが行われる。すなわち、Ｓ１２ａにおいて、スクロール表示処理部１５３は、切替解除指示に含まれる管理番号に対応する動画アイコンの再生速度をＰ０に戻す。
【０１３６】
なお、本変形例において、表示形式切替部１５１は、切替指示に付加されていない管理番号に対応する拡張機能について、表示アイコンデータ記憶部１５２に格納されている動画アイコンを静止画アイコンに変更してもよい。そして、表示形式切替部１５１は、切替解除指示に含まれる管理番号に対応する拡張機能について、表示アイコンデータ記憶部１５２に格納されている静止画アイコンを動画アイコンに変更してもよい。これにより、表示形式切替位置座標まで移動された拡張機能アイコンのみが動画アイコンとなり、当該動画アイコンをユーザにアピールすることができる。
【０１３７】
また、本変形例において、表示形式切替部１５１は、切替指示に付加されていない管理番号に対応する拡張機能について、表示アイコンデータ記憶部１５２に格納されている拡張機能アイコンに対してグレー処理を行っても良い。これにより、表示形式切替位置座標まで移動された拡張機能アイコン以外がグレーアウト表示となり、表示形式切替位置座標まで移動された拡張機能アイコンをユーザにアピールすることができる。
【０１３８】
以上のように、本実施形態のホスト装置（情報処理装置）１は、プリンタ（設定対象装置）２および印刷ジョブ生成部（設定対象装置）１９における処理条件を設定するための設定画面を表示装置３に表示させる情報処理装置である。そして、ホスト装置１は、プリンタ２および印刷ジョブ生成部１９が処理を実行するときに使用可能な複数の拡張機能の各々を示す拡張機能アイコンを、上記設定画面の領域Ｂにおいて移動させながら順次表示させるスクロール表示処理部１５３（スクロール表示処理手段）と、領域Ｂの中において、予め定められた位置、または、ユーザ入力によって指定された位置である表示形式切替位置（特定位置）に移動された上記拡張機能アイコン（特定アイコン）の管理番号を特定する切替アイコン決定部（アイコン特定手段）１５６と、切替アイコン決定部１５６によって特定された管理番号に対応する拡張機能アイコンの表示形式を切り替える表示形式切替部（表示形式切替手段）１５１およびスクロール表示処理部（表示形式切替手段）１５３とを備える。
【０１３９】
上記の構成によれば、表示形式切替部１５１およびスクロール表示処理部１５３は、領域Ｂの中において、表示形式切替位置に拡張機能アイコンが移動されたとき、該拡張機能アイコンの表示形式を切り替える。
【０１４０】
ここで、拡張機能アイコンの表示形式の切り替えとは、例えば、表示形式切替部１５１が静止画アイコンから動画アイコンに切り替えることや、スクロール表示処理部１５３が動画アイコンのフレームを最初に戻すこと、などである。
【０１４１】
これにより、ユーザは、表示形式切替位置まで移動された拡張機能アイコンの表示形式が切り替えられるため、当該拡張機能アイコンに着目することとなる。その結果、設定画面に表示されている複数の拡張機能アイコンのうち、表示形式を切り替えた拡張機能アイコンをユーザにアピールすることができる。そのため、ユーザは、複数の拡張機能アイコンを同時に確認することがなく、視認性が向上する。
【０１４２】
なお、静止画アイコンから動画アイコンに切り替えることで、動画アイコンをユーザに対してよりアピールすることができる。また、動画アイコンが機能の内容を示すため、ユーザは、拡張機能アイコンに対応する機能を容易に認識することができる。
【０１４３】
また、動画アイコンを、最初のフレームに切り替えることで、ユーザは、動画アイコンを最初から確認することができる。そして、動画アイコンが機能の内容を示すため、ユーザは、動画アイコンに対応する機能を容易に認識することができる。
【０１４４】
また、表示形式切替部１５１は、さらに、表示形式切替位置に移動された拡張機能アイコンの明度、彩度、サイズのうちの少なくとも１つを、他の拡張機能アイコンと異なるように切り替えることが好ましい。
【０１４５】
これにより、表示形式切替位置に移動された拡張機能アイコンをユーザに対して一層アピールすることができる。
【０１４６】
また、表示形式切替部１５１は、さらに、表示形式切替位置に移動された拡張機能アイコンの背景の明度および彩度のうちの少なくとも１つを、他の拡張機能アイコンの背景と異なるように切り替えることが好ましい。
【０１４７】
これにより、表示形式切替位置に移動された拡張機能アイコンをユーザに対して一層アピールすることができる。
【０１４８】
また、スクロール表示処理部１５３は、さらに、表示形式切替位置に移動された動画アイコンのフレーム画像の再生速度を、他の動画アイコンの再生速度よりも遅くすることが好ましい。
【０１４９】
これにより、ユーザは、着目している動画アイコンに対応する機能の内容を容易に理解することができる。
【０１５０】
また、表示形式切替部１５１は、表示形式切替位置に移動され、表示形式切替後の拡張機能アイコン（ここでは、動画アイコン）を１サイクルだけ再生した後に、該拡張機能アイコンの表示形式を元に戻すことが好ましい。
【０１５１】
上記の構成によれば、表示形式切替位置に移動された拡張機能アイコンを１サイクルだけ再生される期間、つまり、該拡張機能アイコンの内容を理解するのに必要な時間だけ、ユーザに対して当該拡張機能アイコンに着目させることができる。
【０１５２】
また、スクロール表示処理部１５３は、表示形式切替部１５１が拡張機能アイコンの表示形式を切り替えている期間、拡張機能アイコン全体の移動速度を所定量だけ遅くする、もしくは、拡張機能アイコン全体の移動を停止させることが好ましい。
【０１５３】
上記の構成によれば、表示形式が切り替えられている間、拡張機能アイコン全体の移動が遅くなる、または、停止する。そのため、表示形式が切り替えられた拡張機能アイコンの視認性が向上する。
【０１５４】
また、ホスト装置１は、ユーザ入力に応じて、上記表示形式切替手段の機能の有効／無効を切り替えるフォーカスフラグ設定部（有効／無効切替手段）１５５を備えていることが好ましい。
【０１５５】
ユーザによっては、表示形式が切り替えられることを煩わしく感じる場合もある。上記の構成によれば、表示形式の切替が不要と感じるユーザは、フォーカスフラグ設定部１５５に対して、無効を指示することができ、表示形式の切替を望むユーザは、フォーカスフラグ設定部１５５に対して、有効を指示することができる。このように、ユーザの嗜好性に適合することができる。
【０１５６】
〔実施形態２〕
上記実施形態１では、フォーカスフラグが「１」である場合、表示形式切替位置座標に到達した全ての拡張機能アイコンに対して、表示形式を変更させるものとした。本実施形態では、表示形式切替位置座標に到達した拡張機能アイコンのうち、処理条件が未設定である拡張機能に対応する拡張機能アイコンのみ表示形式を変更させる。
【０１５７】
本実施形態のホスト装置１の構成は、図２に示したものと同様である。ただし、本実施形態の拡張機能アイコン表示処理部１５は、図２１で示されるように、実施形態１と比較して、切替アイコン決定部１５６の代わりに切替アイコン決定部（アイコン特定手段）１５６ａを備える。
【０１５８】
切替アイコン決定部１５６ａは、上記切替アイコン決定部１５６と同様に、フォーカスフラグ設定部１５５が管理するフォーカスフラグが「１」（有効）である場合に、表示形式切替位置座標と一致する表示位置座標に対応する管理番号を位置情報から特定する。さらに、切替アイコン決定部１５６ａは、特定した管理番号が印刷条件格納部１７に格納されているか否かを判断し、格納されていない場合にのみ、当該管理番号を付加した、表示形式を切り替える旨の切替指示を表示形式切替部１５１に送る。
【０１５９】
また、切替アイコン決定部１５６ａは、スクロール表示処理部１５３から上記１サイクル再生完了通知を受けると、当該１サイクル再生完了通知に付加された管理番号を含む切替解除指示をスクロール表示処理部１５３に送る。
【０１６０】
図２２は、本実施形態の拡張機能アイコンの表示処理の流れを示すフローチャートである。図２２に示されるように、本実施形態の拡張機能アイコンの表示処理は、図８に示した処理と比較して、Ｓ９の代わりにＳ９ｂ、Ｓ９ｃおよびＳ９ｄが行われる点で異なる。
【０１６１】
すなわち、切替アイコン決定部１５６ａは、表示方式切替位置座標と一致する表示位置座標に対応付けられている管理番号を、スクロール表示処理部１５３から受けた位置情報から特定する（Ｓ９ｂ）。
【０１６２】
その後、切替アイコン決定部１５６ａは、特定した管理番号が印刷条件格納部１７に格納されているか否かを判断する（Ｓ９ｃ）。ここで、印刷条件格納部１７に格納されている管理番号とは、既に拡張機能設定部１６ｂによって処理条件が設定された拡張機能に対応するものであり、印刷条件格納部１７に格納されていない管理番号とは、処理条件が未設定の拡張機能に対応するものである。
【０１６３】
そして、Ｓ９ｂで特定した管理番号が印刷条件格納部１７に格納されていない場合にのみ（Ｓ９ｃでＮｏ）、切替アイコン決定部１５６ａは、当該管理番号を付加した切替指示を表示形式切替部１５１に出力する（Ｓ９ｄ）。
【０１６４】
一方、Ｓ９ｂで特定した管理番号が印刷条件格納部１７に格納されている場合（Ｓ９ｃでＹｅｓ）、Ｓ１３の処理に移行する。
【０１６５】
これにより、処理条件が未設定の拡張機能アイコンのみが表示形式が変更される。その結果、ユーザに対して、未設定の拡張機能アイコンをユーザにアピールすることができる。
【０１６６】
このように、本実施形態のホスト装置１は、設定指示が入力された拡張機能アイコンに対応する拡張機能の処理条件を、ユーザ入力に従って設定する拡張機能設定部（機能設定手段）１６ｂを備える。そして、切替アイコン決定部１５６ａは、上記特定位置に移動された拡張機能アイコンのうちの、上記機能設定手段によって設定が行われていない拡張機能アイコンに対応する管理番号のみを特定する。そして、特定した管理番号を含む切替指示を出力する。
【０１６７】
上記の構成によれば、未設定の拡張機能に対応する拡張機能アイコンのみ、表示形式が切り替えられる。そのため、ユーザは、未設定の拡張機能に対応する拡張機能アイコンに着目することとなり、設定操作を容易に行うことができる。
【０１６８】
〔実施形態３〕
上記実施形態２では、処理条件が未設定の拡張機能についてのみ、拡張機能アイコンの表示形式が切り替えられるものとした。本実施形態は、使用頻度が所定閾値以下の拡張機能についてのみ、拡張機能アイコンの表示形式を切り替えるものである。
【０１６９】
本実施形態のホスト装置１ａの構成は、図２３に示されるように、実施形態１と比較して、使用頻度更新部（算出手段）２０および使用頻度管理部２１を備えている点で異なる。
【０１７０】
使用頻度管理部２１は、拡張機能ごとの使用頻度を示す使用頻度テーブルを管理するものである。本実施形態では、使用頻度管理部２１は、各拡張機能の使用頻度として、過去１週間において使用した回数を管理する。ただし、使用頻度はこれに限定されるものではない。図２４は、使用頻度管理部２１が管理する使用頻度テーブルの一例を示す図である。
【０１７１】
使用頻度更新部２０は、使用頻度管理部２１が管理する使用頻度を更新するものである。具体的には、使用頻度更新部２０は、印刷ジョブ生成部１９によって印刷ジョブが生成されると、印刷条件格納部１７に格納されている管理番号を読み出し、当該管理番号と印刷ジョブが生成された時刻（使用時刻）とを対応付けた履歴情報を記憶する。図２５は、当該履歴情報の一例を示す図である。
【０１７２】
さらに、使用頻度更新部２０は、履歴情報に基づいて、管理番号ごとに、現時刻から過去の所定期間内（例えば、１週間）の使用頻度を算出し、使用頻度管理部２１が管理する使用頻度テーブルを更新する。
【０１７３】
また、本実施形態の拡張機能アイコン表示処理部１５は、図２６で示されるように、実施形態１と比較して、切替アイコン決定部１５６の代わりに切替アイコン決定部（アイコン特定手段）１５６ｂを備える。
【０１７４】
切替アイコン決定部１５６ｂは、上記切替アイコン決定部１５６と同様に、フォーカスフラグ設定部１５５が管理するフォーカスフラグが「１」（有効）である場合に、表示形式切替位置座標と一致する表示位置座標に対応する管理番号を位置情報から特定する。さらに、切替アイコン決定部１５６ｂは、特定した管理番号に対応する使用頻度を使用頻度テーブルから読み取り、所定閾値（例えば５回）以下であるか否かを判断する。そして、所定閾値以下である場合にのみ、切替アイコン決定部１５６ｂは、位置情報から特定した管理番号を付加した切替指示を表示形式切替部１５１に送る。
【０１７５】
また、切替アイコン決定部１５６ｂは、スクロール表示処理部１５３から上記１サイクル再生完了通知を受けると、当該１サイクル再生完了通知に付加された管理番号を含む切替解除指示をスクロール表示処理部１５３に送る。
【０１７６】
図２７は、本実施形態の拡張機能アイコンの表示処理の流れを示すフローチャートである。図２７に示されるように、本実施形態の拡張機能アイコンの表示処理は、図２２に示した処理と比較して、Ｓ９ｃの代わりにＳ９ｅが行われる点で異なる。
【０１７７】
すなわち、切替アイコン決定部１５６ｂは、特定した管理番号に対応する使用頻度を使用頻度管理部２１から読み取り、当該使用頻度が所定閾値以下であるか否かを読み取る（Ｓ９ｅ）。
【０１７８】
そして、所定閾値以下である場合にのみ（Ｓ９ｅでＹｅｓ）、切替アイコン決定部１５６ｂは、Ｓ９ａで特定した管理番号を付加した切替指示を表示形式切替部１５１に出力する（Ｓ９ｄ）。
【０１７９】
一方、所定閾値より大きい場合（Ｓ９ｅでＮｏ）、Ｓ１３の処理に移行する。
【０１８０】
以上のように、ホスト装置１ａは、各拡張機能の使用頻度を算出する使用頻度更新部（算出手段）２０を備える。そして、切替アイコン決定部１５６ｂは、表示形式切替位置に移動された拡張機能アイコンのうちの、使用頻度更新部２０によって算出された使用頻度が所定閾値以下の拡張機能に対応する拡張機能アイコンの管理番号を含む切替指示を出力する。
【０１８１】
これにより、使用頻度が所定閾値以下の拡張機能に対応する拡張機能アイコンのみが表示形式が変更される。その結果、ユーザに対して、あまり使用していない拡張機能アイコンをユーザにアピールすることができる。
【０１８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１８３】
最後に、プリンタドライバ部１２の各ブロックは、ハードウェアロジックによって構成してもよいし、次のようにＣＰＵを用いてソフトウェアによって実現してもよい。
【０１８４】
すなわち、プリンタドライバ部１２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるプリンタドライバ部１２の制御プログラムのプログラムコード（実行形式プログラム、中間コードプログラム、ソースプログラム）をコンピュータで読み取り可能に記録した記録媒体を、上記プリンタドライバ部１２に供給し、そのコンピュータ（またはＣＰＵやＭＰＵ）が記録媒体に記録されているプログラムコードを読み出し実行することによっても、達成可能である。
【０１８５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８６】
また、プリンタドライバ部１２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８７】
本発明は、複数の機能の中から所望の機能をユーザに選択させる設定画面を表示させる装置を実現するためのプリンタドライバに適用できる。
【図面の簡単な説明】
【０１８８】
【図１】ホスト装置が備える拡張機能アイコン表示処理部の構成を示すブロック図である。
【図２】本発明に係るホスト装置の内部構成、および周辺装置を示すブロック図である。
【図３】ホスト装置が備えるコンテンツ管理部が管理するテーブルの一例を示す図である。
【図４】コンテンツ管理部が管理するダイアログボックスの一例を示す図である。
【図５】コンテンツ管理部が管理する動画アイコンの一例を示す図である。
【図６】ホスト装置が備える基本画面表示処理部によって表示される設定画面の一例を示す図である。
【図７】表示形式切替位置を示す図である。
【図８】拡張機能アイコンの表示処理の流れを示すフローチャートである。
【図９】拡張機能アイコンが移動表示されている設定画面の一例を示す図である。
【図１０】表示形式切替位置に到達した静止画アイコンを動画アイコンに切り替える際の設定画面の例を示す図である。
【図１１】フォーカスフラグが「１」の場合と「０」の場合における拡張機能アイコンの表示処理の違いを示す図である。
【図１２】拡張機能アイコンが移動される様子を示す図である。
【図１３】印刷条件の設定処理の流れを示すフローチャートである。
【図１４】拡張機能アイコン移動速度を減速させる場合の設定画面の一例を示す図である。
【図１５】拡張機能アイコンを一旦停止させる場合の設定画面の一例を示す図である。
【図１６】拡張機能アイコンの背景の明度を変更させる場合の設定画面の一例を示す図である。
【図１７】拡張機能アイコンのサイズを変更させる場合の設定画面の一例を示す図であり、（ａ）は拡大、（ｂ）は縮小する例である。
【図１８】変形例５の拡張機能アイコンの表示処理の流れを示すフローチャートである。
【図１９】動画アイコンのフレーム番号を切り替える場合の設定画面の一例を示す図である。
【図２０】動画アイコン再生速度を切り替える場合の設定画面の一例を示す図である。
【図２１】実施形態２に係る拡張機能アイコン表示処理部の構成を示すブロック図である。
【図２２】実施形態２における拡張機能アイコンの表示処理の流れを示すフローチャートである。
【図２３】実施形態３に係るホスト装置の構成を示す図である。
【図２４】使用頻度テーブルの一例を示す図である。
【図２５】拡張機能の使用状況を示す履歴情報の一例を示す図である。
【図２６】実施形態３に係る拡張機能アイコン表示処理部の構成を示すブロック図である。
【図２７】実施形態３における拡張機能アイコンの表示処理の流れを示すフローチャートである。
【符号の説明】
【０１８９】
１・１ａ  ホスト装置（情報処理装置）
２  プリンタ（設定対象装置）
３  表示装置
４  入力装置
１６  印刷条件設定部（機能設定手段）
１６ｂ  拡張機能設定部（機能設定手段）
１９  印刷ジョブ生成部（設定対象装置）
２０  使用頻度更新部（算出手段）
１５１  表示形式切替部（表示形式切替手段）
１５３  スクロール表示処理部（スクロール表示処理手段、表示形式切替手段）
１５４  位置設定部
１５５  フォーカスフラグ設定部（有効／無効切替手段）
１５６・１５６ａ・１５６ｂ  切替アイコン決定部（アイコン特定手段）
【図１】
2007199780.tif 000003
【図２】
2007199780.tif 000004
【図３】
2007199780.tif 000005
【図４】
2007199780.tif 000006
【図５】
2007199780.tif 000007
【図６】
2007199780.tif 000008
【図７】
2007199780.tif 000009
【図８】
2007199780.tif 000010
【図９】
2007199780.tif 000011
【図１０】
2007199780.tif 000012
【図１１】
2007199780.tif 000013
【図１２】
2007199780.tif 000014
【図１３】
2007199780.tif 000015
【図１４】
2007199780.tif 000016
【図１５】
2007199780.tif 000017
【図１６】
2007199780.tif 000018
【図１７】
2007199780.tif 000019
【図１８】
2007199780.tif 000020
【図１９】
2007199780.tif 000021
【図２０】
2007199780.tif 000022
【図２１】
2007199780.tif 000023
【図２２】
2007199780.tif 000024
【図２３】
2007199780.tif 000025
【図２４】
2007199780.tif 000026
【図２５】
2007199780.tif 000027
【図２６】
2007199780.tif 000028
【図２７】
2007199780.tif 000029